(57)【要約】【課題】  使用する用紙の通気性により予備加熱板の設定温度を変化させ、予備加熱板上の用紙に加えられる熱量を一定にし、用紙の通気性によらず安定した定着強度を確保することが可能な電子写真装置の定着装置を提供する。【解決手段】  予備加熱板と、前記予備加熱板に設けられた穴から用紙を吸着するブロアと、前記ブロアの吸引圧力を検出する圧力検出器とを有する電子写真装置の定着装置において、前記圧力検出器の出力に基づき前記予備過熱板の設定温度を変更する。【選択図】図１
2005077651.tif 000002
【特許請求の範囲】
【請求項１】
予備加熱板と、前記予備加熱板に設けられた穴から用紙を吸着するブロアと、前記ブロアの吸引圧力を検出する圧力検出器とを有する電子写真装置の定着装置において、前記圧力検出器の出力に基づき前記予備過熱板の設定温度を変更することを特徴とする電子写真装置の定着装置。
【発明の詳細な説明】
【技術分野】
【０００１】
本発明は、電子写真装置の定着装置に関するものである。
【背景技術】
【０００２】
従来の電子写真方式を用いたレーザビームプリンタの印刷プロセスの概要を図２を用いて説明する。
【０００３】
図２において、１はレーザビームプリンタであり、図示されていないコントローラからの印刷動作開始信号に基づいて感光ドラム３が矢印方向に回転を始める。感光ドラム３は、レーザビームプリンタ１の印刷速度に相当する速度で回転し、印刷動作が終了するまで回転を続ける。感光ドラム３が回転を開始すると、コロナ帯電器４に高電圧が印加され、感光ドラム３表面に例えば正の電荷が均一に帯電される。
【０００４】
回転多面鏡５は、レーザビームプリンタ１に電源が投入されると直ちに回転を開始し、電源が投入されている間、高精度に定速回転が維持される。半導体レーザや発光ダイオードなどで構成された光源６から出力したレーザビームは、回転多面鏡５で反射し、ｆθレンズ７を通じて感光ドラム３上を走査しながら照射する。
【０００５】
ドットイメージに変換された文字データや図形データがレーザビームのオン／オフ信号として図示されていないコントローラからレーザビームプリンタ１に送られると、感光ドラム３の表面にレーザビームが照射される部分と照射されない部分とが形成され、いわゆる静電潜像が形成される。この静電潜像を保持した感光ドラム領域が現像装置８と対向する位置に到達すると、静電潜像にトナーが供給され、レーザビームの照射により感光ドラム３上の電荷が消失した部分に、例えば正電荷に帯電したトナーが静電気により吸引されて感光ドラム３上にトナー像が形成される。
【０００６】
用紙ホッパ９に収納された連続した用紙１０は、用紙搬送トラクタ１１によって、感光ドラム３上に形成された印刷データのトナー像が転写位置に到達するタイミングと同期させて、感光ドラム３と転写器１２の間に向けて搬送される。
【０００７】
感光ドラム３上に形成されたトナー像は、用紙１０の背面側にトナー像と逆極性の電荷を付与する転写器１２の作用によって用紙１０上に吸引される。このようにして、用紙ホッパ９にセットされていた用紙１０は、用紙搬送トラクタ１１、転写器１２、用紙搬送トラクタ１１およびバッファプレート２４を経て定着装置2に搬送される。定着装置２に到達した用紙１０は、予備加熱板１３で予熱された後、ヒータランプ２５を備えた加熱ローラ１４と加圧ローラ１５からなる一対の定着ローラによって形成されるニップ部によって加熱加圧されながら挟持搬送され、トナー像が用紙１０に溶融定着される。
【０００８】
加熱ローラ１４と加圧ローラ１５によって送出されてきた用紙１０は、用紙送出しローラ１６によってスタッカテーブル１９側へ送出されるとともに、スイングフィン１７の揺動動作によってミシン目に沿って交互に折り分けられ、さらに、回転するパドル１８で折りたたみ状態が整えられながら、スタッカテーブル１９上に積み重ねられて行く。感光ドラム３の転写位置を通過した領域は、清掃装置２０で清掃され、次の印刷動作に備えられる。
【０００９】
なお、上述のバッファプレート２４は、用紙搬送トラクタ１１および定着ローラ１４,１５間で用紙搬送速度差が生じた場合に、用紙１０に発生するたるみ、あるいは張りを吸収するためのものである。
【００１０】
上記のように電子写真装置の予備加熱板１３上に用紙１０を拘束するため、予備加熱板１３には図３に示すようにブロア２１で用紙１０を吸引するための吸引穴２２が設けられている。吸引力は、調整用の標準用紙を予備加熱板１３に乗せた状態で吸引力調整弁３１により規定値に調整される。ところが、同じ吸引力で用紙１０を吸引しても、用紙１０の通気性により用紙１０と予備加熱板１３との密着性が異なる。密着性がよい用紙１０の場合は、予備加熱板１３の設定温度と用紙１０の温度との差が小さく、逆に通気性の良い用紙１０の場合には、用紙１０と予備加熱板１３との密着度が弱まり、予備加熱板１３と用紙１０との温度差が生じて予備加熱が不十分となる問題があった。このため、吸引力調整弁３１を自動調整し、吸引力を一定に制御する手段が提案されている（例えば、特許文献1参照）。
【００１１】
【特許文献１】特開２００１−２５５７６３号公報
【発明の開示】
【発明が解決しようとする課題】
【００１２】
しかしながら、上記の特許文献1の技術においては、吸引力調整弁３１を駆動するための機構が必要になり装置コストが増大する問題がある。
【００１３】
本発明の目的は、用紙の通気性の如何によらず十分な熱量を加えることのできる定着装置を低コストで提供することにある。
【課題を解決するための手段】
【００１４】
上記の目的は、予備加熱板と、前記予備加熱板に設けられた穴から用紙を吸着するブロアと、前記ブロアによる吸引圧力を検出する圧力検出器と、前記圧力検出器の出力にに基づき前記予備加熱板の設定温度を変更することにより達成される。
【発明の効果】
【００１５】
本発明によれば、使用する用紙の種類により予備過熱板の温度を変化させ、用紙に供給される熱量を一定にし、用紙の種類によらず安定した用紙走行および定着強度を確保することが可能な電子写真装置の定着装置を提供することができる。また、特許文献1の方法と比較して、駆動機構部の付加が不要であるため、比較的低コストで実現できる。
【発明を実施するための最良の形態】
【００１６】
以下、本発明の実施例を図１を用いて説明する。なお、図１において図３と同一符号は図３と同一部分を示す。
【実施例】
【００１７】
図１において図３と異なる点は、ブロア２１の吸引圧力を検出する圧力検出器３２が接続されている点である。前記圧力検出器３２の出力は予備加熱板１３の温度制御装置３３に接続されている。圧力検出器３２の出力により圧力損失が少ない場合には通気性が悪い用紙であると判断し、予備過熱板１３と用紙１０の密着性がよいため、温度制御装置３３は予備加熱板１３の設定温度を標準より低めに設定する。また、圧力検出器３２の出力により圧力損失が大きい場合には通気性がよい用紙であると判断し、予備加熱板１３と用紙１０の密着性が悪いため、予備加熱板１３の設定温度を標準より高めに設定する。
【図面の簡単な説明】
【００１８】
【図１】本発明の一実施例を示す概略構成図。
【図２】電子写真装置の全体構成図。
【図３】従来例を示す概略構成図。
【符号の説明】
【００１９】
１０…用紙、１３…予備加熱板、２１…吸引ブロア、２２…用紙吸引穴、３１…吸引力調整弁、３２…圧力検出器。
【図１】
2005077651.tif 000003
【図２】
2005077651.tif 000004
【図３】
2005077651.tif 000005